(57)【要約】  本発明は、シートの固定棒（２）が軸方向に移動可能に導かれるパイプ（５）を備える、特に自転車といった単線式車両のシート用の安全ロック制御装置に関する。この安全ロック制御装置には、シートの高さを確定するために、ロック孔の中に挿入可能なロックピンが設けられており、ロックピンは、単線式車両の少なくとも１つの第１のブレーキ装置に接続され、第１のブレーキ装置が作動されると、ロック位置からロック解除位置に移動するようになっている。ロックピンはさらに、単線式車両の少なくとも１つの他のブレーキ装置に接続され、第１のブレーキ装置と上記他のブレーキ装置とを同時に動作させる場合のみ、ロック位置からロック解除位置に動くようになっている。このため、容易、且つ、ブレーキ装置にほとんど無関係な動作を実現可能である。
2010526717.tif 000002
【特許請求の範囲】
【請求項１】
シートの固定棒（２）が軸方向に移動可能に導かれるパイプ（５）を備える、特に自転車といった単線式車両のシート用の安全ロック制御装置であって、上記シートの高さを確定するために、ロック孔（２ａ）の中に挿入可能なロックピン（１ｋ）が設けられており、上記ロックピン（１ｋ）は、上記単線式車両の少なくとも１つの第１のブレーキ装置に接続され、上記第１のブレーキ装置が作動されると、ロック位置からロック解除位置に移動するようになっている安全ロック制御装置において、
上記ロックピン（１ｋ）はさらに、上記単線式車両の少なくとも１つの他のブレーキ装置に接続されており、上記第１のブレーキ装置と上記他のブレーキ装置とを同時に動作させる場合のみ、ロック位置からロック解除位置に動くようになっていることを特徴とする、安全ロック制御装置。
【請求項２】
上記ロックピン（１ｋ）は、第１のブレーキ装置としての前輪用ブレーキ装置、および、第２のブレーキ装置としての後輪用ブレーキ装置に、各制御ケーブル（３ａ、３ｂ）を介して接続されていることを特徴とする、請求項１に記載の安全ロック制御装置。
【請求項３】
上記第１のブレーキ装置および上記他のブレーキ装置は、それぞれ、スライダ（１ｈ、１ｉ）に接続されており、各上記スライダ（１ｈ、１ｉ）は、上記ロックピンを動作させる回転可能な作動フック（１ｆ）の各アームに接触していることを特徴とする、請求項１または２に記載の安全ロック制御装置。
【請求項４】
各上記スライダ（１ｈ、１ｉ）は、スライド側面を有しており、いずれか一方のスライダに属するブレーキ装置だけが動作されると、上記作動フック（１ｆ）が上記スライド側面を滑動することを特徴とする、請求項３に記載の安全ロック制御装置。
【請求項５】
上記スライダ（１ｈ、１ｉ）は、バネ（１ｑ、１ｒ）によって、上記ロック位置の方向に予め張力をかけられていることを特徴とする、請求項３または４に記載の安全ロック制御装置。
【請求項６】
上記作動フック（１ｆ）は、引っ張りバネによって、上記ロック位置の方向に予め張力をかけられていることを特徴とする、請求項３〜５のいずれか１項に記載の安全ロック制御装置。
【請求項７】
上記ロックピン（１ｋ）は、手動式のロック解除装置に接続されていることを特徴とする、請求項１〜６のいずれか１項に記載の安全ロック制御装置。
【請求項８】
上記シートの固定棒（２）は、軸方向に延びるロック溝（２ｂ）を有していることを特徴とする、請求項１〜７のいずれか１項に記載の安全ロック制御装置。
【請求項９】
上記シートの固定棒（２）は、バネ（４）によって上方に予め張力をかけられていることを特徴とする、請求項１〜８のいずれか１項に記載の安全ロック制御装置。
【請求項１０】
上記スライダ（１ｈ、１ｉ）と上記作動フック（１ｆ）との両方又はいずれか一方は、１つの滑り機構（１ｄ）内を、滑動可能に導かれることを特徴とする、請求項３〜９のいずれか１項に記載の安全ロック制御装置。
【発明の詳細な説明】
【発明の詳細な説明】
【０００１】
本発明は、シートの固定棒が軸方向に移動可能に導かれるパイプを備える、特に自転車といった単線式車両のシート用の安全ロック制御装置に関する。この安全ロック制御装置には、シートの高さを確定するために、ロック孔の中に挿入可能なロックピンが設けられており、ロックピンは、単線式車両の少なくとも１つの第１のブレーキ装置に接続され、上記第１のブレーキ装置が作動されると、ロック位置からロック解除位置に移動するようになっている。
【０００２】
これまでに知られている自転車シートのロック装置は、自転車が静止している時の自転車シートの高さを設定することだけが可能であった。ペダルと地面との間に間隔があるため、自転車シートの高さを制御するための従来の装置では、現状の問題を解決することは不可能である。
【０００３】
自転車のシートがより高い位置にある場合、自転車に乗る人は、脚を完全に延ばすことはできるが、両足を同時に地面につけて立つことはできない。従ってここには、安全性に対する隠れた危険が存在する。
【０００４】
自転車シートがより低い位置にある場合、自転車に乗る人は、両足を同時に地面につけて立つことはできるが、脚を完全に延ばすことはできない。この場合、自転車に乗っている人は、不快な感じを得るだけでなく、膝および脚に害が及び得る。
【０００５】
ＦＲ第９７０３０９Ａ号には、自転車シートのロック制御素子が開示されている。このロック制御素子では、手動で動作可能な１つのブレーキのグリップが、ケーブルを介して支点ピンに接続されている。支点ピンは、バネ荷重を加えられたロックピンを動作させる。しかしながらこの形態の欠点は、ブレーキのグリップを使用する度に、自転車シートの高さが下がることである。なぜなら、ロックピンは、非常ブレーキまたは静止に至るまでの制動の場合であっても、または、減速の場合であっても、常に、シート固定具のパイプ上のロック孔から出て来てしまうからである。
【０００６】
公表文献ＤＥ第２８４５２９５Ａｌ号およびＤＥ第３１００２２５Ａｌ号の装置も、欠点を有している。ＤＥ第３１００２２５Ａｌ号は、ハンドルに設置された独自の手動巻き上げによって、自転車シートのロックを作動させる装置を開示している。従って、自転車に乗っている人は、非常ブレーキをかけた場合、手動で自転車シートのロックを解除する必要がある。しかし、非常ブレーキをかけなければならないような場合、自転車に乗っている人がロックを解除する時間はない。
【０００７】
ＤＥ第２８４５２９５Ａｌ号は、参照番号（５）によって、上述の２つの公表文献の両実施形態、つまり、独自のロック用のハンドレバーまたはハンドブレーキとの連結部材を開示している。
【０００８】
本発明の課題は、自転車シートのロック制御素子が、次の機能を同時に有することである。
−ロック制御素子によって、自転車に乗っている人は、走行時に脚を完全に延ばすことが可能になる。
−前輪用ブレーキおよび後輪用ブレーキのうちのいずれか一方を使用することによって、自転車の速度を低減することが可能である。
−前輪用ブレーキ装置および後輪用ブレーキ装置を同時に使用している間は、自転車シートの高さは、低い位置に下がることが可能である。これによって、自転車に乗っている人は、両足を同時に地面につけて立つことができる。
【０００９】
本発明の他の課題は、頑丈で使用者が容易に操作可能な解決方法を、簡素且つ低コストで提供することにある。
【００１０】
本発明に従って、これらの課題を、ロックピンが、さらに、単線式車両の少なくとも１つの他のブレーキ装置に接続され、第１のブレーキ装置と他のブレーキ装置とを同時に動作させる場合のみ、ロック位置からロック解除位置に動くようにすることによって、解決する。
【００１１】
本発明に係る解決方法によって、シートのロックを解除しなくとも、単線式車両の１つのブレーキを用いて所望の強度にブレーキをかけることが可能になる。一方、設定によっては、両方のブレーキを軽度に動作させることによって、シートの高さ調整を行うことが可能である。場合によっては、明らかな制動効果が生じる前に既にこの状態に達する。これは、様々な運転状況において望ましいことである。
【００１２】
ロックピンが、第１のブレーキ装置としての前輪用ブレーキ装置、および、第２のブレーキ装置としての後輪用ブレーキ装置に、いずれの場合も制御ケーブルを介して接続されていることが好ましい。こうすることによって、特に簡素な構成および安全な動作が保証される。
【００１３】
前輪用ブレーキ装置および後輪用ブレーキ装置を同時に使用する場合、これら前輪用ブレーキ装置および後輪用ブレーキ装置の２つの制御ケーブルに並列に接続された２つの制御ケーブルが、ロック制御装置内の２つのスライダを同時に手前に引っ張ることによって、ロック制御装置内の作動フック、滑り機構、連結棒、および、ロックピンを作動させる。これによって、ロックピンが、シート固定具のパイプ上の単一またはいずれか１つのロック孔から出て来るため、自転車シートの高さは、人間の体重によって、最も低い位置まで降下し得る。
【００１４】
特に好ましくは、第１のブレーキ装置および他のブレーキ装置が、それぞれ、１つのスライダに接続されており、各スライダは、ロックピンを動作させる回転可能な作動フックの各アームに接触していることが好ましい。２本アーム式レバーとして構成された作動フックを用いると、両ブレーキを同時に動作させる場合に内部バランスが実現されるため、ロック解除装置の安全な動作が保証される。さらにこの構成は、容易且つ低コストで製造可能である。
【００１５】
これに関して、各スライダはスライド側面を有していることが特に有効である。いずれか一方のスライダに属するブレーキ装置だけが動作されると、作動フックが前記スライド側面を滑動する。
【００１６】
前輪用ブレーキ装置および後輪用ブレーキ装置のいずれか一方が使用されると、当該ブレーキ装置の制御ケーブルに並列に接続された制御ケーブルは、ロック制御装置内の１つのスライダを引っ張ることによって、作動フックを回転させるが、ロック制御装置内の滑り機構、連結棒、およびロックピンを移動させることはない。
【００１７】
本発明の他の好ましい一変形例では、スライダは、バネによってロック位置の方向に予め張力をかけられている。このため、ブレーキ装置を解除した時に、ブレーキ装置が元の状態に戻ることが保証される。
【００１８】
同様に、作動フックは、引っ張りバネによってロック位置の方に予め張力をかけられていることが都合がよい。
【００１９】
ロックピンが手動式のロック解除装置に接続されている場合に、特に有効な操作が実現される。そのため、グリップが、圧縮バネで包囲された連結棒の側に取り付けられており、前記グリップは、ロック制御装置から突出している。グリップが引っ張られると、連結棒によって作動されるロックピンは、シート固定具のパイプ上の単一またはいずれか１つのロック孔から出て来る。グリップを離すと、つまり引張力が作用しなくなると、ロックピンは、圧縮バネの作用により押し返される。これによって、自転車静止時の自転車シートの高さを調整することが可能である。
【００２０】
機械的に有効な解決方法は、シートの固定棒が軸方向に延びるロック溝を有していることによって実現される。これによって、特に、シートがずれてしまうことに対する安全性が容易に確保される。
【００２１】
さらに、シートの固定棒が、バネによって上方に予め張力をかけられている場合が都合がよい。これによって、シートが、容易に元の位置に戻ることが保証される。
【００２２】
前輪用ブレーキ装置および後輪用ブレーキ装置を同時に使用したが、制動効果はまだ生じていない場合、ロック制御装置内のロックピンは、両方のブレーキ装置の使用によって、シート固定具のパイプ上の単一またはいずれか１つのロック孔から完全にまたは部分的に出て来ることが可能である。こうして、シート固定具のパイプの下方または前記パイプ内に配置された圧縮バネの作用によって、自転車走行時の自転車シートの高さを制御することが可能である。
【００２３】
スライダおよび／または作動フックが、１つの滑り機構内を、滑動可能に導かれることによって、機械的に特に容易且つ都合のよい実施形態が実現される。
【図面の簡単な説明】
【００２４】
次に本発明を、図面に示した実施形態を参照しながら、より詳細に説明する。
【００２５】
図１は、本発明に係る装置を３次元で示す外観図である。
【００２６】
図２は、フタ（１ｂ）を外した状態の、本発明に係る装置を３次元で示す外観図である。
【００２７】
図３は、図２に示した本発明に係る装置の縦軸に沿って切断した断面を３次元で示す外観図である。
【００２８】
図４は、前輪用ブレーキ装置および後輪用ブレーキ装置が同時に使用されている状態の、図２に示した本発明に係る装置を拡大した上面図である。
【００２９】
図５は、前輪用ブレーキ装置または後輪用ブレーキ装置が使用されている状態の、図２に示した本発明に係る装置を拡大した上面図である。
【００３０】
図６は、スライダを拡大して３次元で示す外観図である。
【００３１】
本発明に係る装置は、ロック制御装置１を有している。ロック制御装置１は、シートを固定するための自転車のスチールパイプ５に取り付けられている。ロック溝２ｂおよび少なくとも１つのロック孔２ａが設けられたシート固定具２のパイプは、ロック制御装置１の孔の中、および、シートを固定するための自転車のスチールパイプ５の中に取り付けられている。シート固定具２のパイプは、ロック溝２ｂの中に差し込まれる止めネジ６によって、上下移動だけが可能な状態にされている。シート固定具２のパイプの下方または前記パイプの中には、圧縮バネ４が取り付けられている。
【００３２】
ロック制御装置１内には、取り付け台１ａと、フタ１ｂと、取り付け台１ａに取り付けられた止め板１ｃとが設けられている。取り付け台１ａ上には、ケーシングパイプ１ｊが、シート固定具２のパイプを取り付けるための孔に対して垂直に設けられている。ロックピン１ｋおよび輪状栓１ｌが、圧縮バネ１ｍに取り囲まれた連結棒１ｏによって互いに接続されている。これら全ての部品は、ケーシングパイプ１ｊの中に組み入れられている。連結棒１ｏは、そのネジ山とナット１ｅとを用いることによって滑り機構１ｄに接続されている。滑り機構１ｄは、ケーシングパイプ１ｊを取り囲んでいる。滑り機構１ｄと止め板１ｃとの間の連結棒１ｏの部分の周りには、さらなる圧縮バネ１ｎが取り付けられている。このようにして、圧縮バネ１ｍ・１ｎの作用によって、連結棒１ｏと滑り機構１ｄとに接続されたロックピン１ｋが、ケーシングパイプ１ｊの閉鎖されていない側から突出し、シート固定具２のパイプ上の単一またはいずれか１つのロック孔の中に突入して、シート固定具２のパイプを固定するだけでなく、ロックピン１ｋがケーシングパイプ１ｊから出て、シート固定具２のパイプ上の単一またはいずれか１つのロック孔の中に突入する距離も規定され得る。連結棒１ｏによって互いに連結されたロックピン１ｋおよび滑り機構１ｄは、外力の作用がない場合には常に元の位置に戻ることが可能である。連結棒１ｏはさらに、止め板１ｃを介してグリップに接続されている。
【００３３】
滑り機構１ｄには作動フック１ｆが備えられている。作動フック１ｆは、引っ張りバネ１ｇによって引っ張られており、引っ張りバネ１ｇの反対側は、滑り機構１ｄの上に固定されている。滑り機構１ｄの両側面には、２つのスライダ１ｈ・１ｉが設けられている。これらの各スライダ１ｈ・１ｉは、圧縮バネ１ｑ・１ｒに取り囲まれた各制御ケーブルのロープに接続されており、外力の作用がない場合には常に初期位置に戻ることが可能である。これらの各制御ケーブルは、前輪用ブレーキ装置および後輪用ブレーキ装置の各制御ケーブルに並列に接続されている。
【００３４】
図４は、制御ケーブル３ａ・３ｂの両方が引っ張られ、両スライダ１ｈ・１ｌが動くことによって、作動フック１ｆが滑り機構１ｄを動かしている状態を示す図である。
【００３５】
図５は、制御ケーブル３ｂが引っ張られ、スライダ１ｉが動くことによって、作動フック１ｆが回転している状態を示す図である。
【００３６】
図６は、スライダ１ｈまたは１ｉに設けられた、制御ケーブル３ａまたは３ｂのロープを導入するための貫通孔の位置、および、同じくスライダ１ｈまたは１ｉに設けられた、制御ケーブル３ａまたは３ｂのロープを固定するためのネジの位置を示す図である。図６はまた、上記ネジが嵌めこまれる、視認できないネジ穴の位置も示している。
【００３７】
本発明に係る装置は、次の可能性を実現する。
【００３８】
自転車に乗っている人が、安全性の理由から、両足を同時に地面につけて立つことを希望する場合に、その人は、前輪用ブレーキ装置および後輪用ブレーキ装置の両方を同時に用いることができ、こうすることによって、自転車のシートの高さを最も低い位置に下げることが可能である。
【００３９】
自転車の速度を低減する必要がある場合、自転車に乗っている人は、自転車の片方のブレーキ装置だけ、つまり前輪用ブレーキ装置または後輪用ブレーキ装置を用いることが可能である。
【００４０】
自転車に乗る人は、自転車静止時には、ロック制御装置のグリップを引っ張ることによって自転車シートの高さを調節可能であり、自転車走行時も、両方のブレーキ装置、つまり前輪用ブレーキ装置と後輪用ブレーキ装置とを同時に用いることによって、および、これら両方のブレーキ装置の制動効果が生じる前にその人の体重をかけることによって、自転車シートの高さを調節可能である。このため、自転車に乗る人は、走行時に脚を完全に延ばすことが可能になる。
【００４１】
本発明が包含する自転車シートの安全ロック制御装置は、原動機付き自転車にも利用可能であることは、当業者には明らかである。
【図１】
2010526717.tif 000003
【図２】
2010526717.tif 000004
【図３】
2010526717.tif 000005
【図４】
2010526717.tif 000006
【図５】
2010526717.tif 000007
【図６】
2010526717.tif 000008
【国際調査報告】
2010526717.tif 000009
2010526717.tif 000010
2010526717.tif 000011
2010526717.tif 000012